(57)【要約】  【課題】  耐異物性、電極との安定接触性および金属線の接着性に優れ、加えて電極形状に方向性がある場合でも確実に電極間の導通を実現できる接点部材を提供する。  【解決手段】  本発明は、接点として機能する側からみて方向性が規定されているゴム状弾性体１０と、ゴム状弾性体１０の方向性を規定している一方の面において所定方向に向かって延びるように配置されると共に、一方の面から露出し一方の面からその側方の面に折れ曲がってゴム状弾性体１０に埋設している１または２以上の金属線２０と、ゴム状弾性体１０の一方の面と反対側に位置する他方の面に固定され、金属線２０の端部を埋没させている固定部材３０と、を備える接点部材１およびその製造方法に関する。【選択図】図１
2020140805.tif 000002
【特許請求の範囲】
【請求項１】
接点として機能する側からみて方向性が規定されているゴム状弾性体と、
前記ゴム状弾性体の前記方向性を規定している一方の面において所定方向に向かって延びるように配置されると共に、前記一方の面から露出し前記一方の面からその側方の面に折れ曲がって前記ゴム状弾性体に埋設している１または２以上の金属線と、
前記ゴム状弾性体の前記一方の面と反対側に位置する他方の面に固定され、前記金属線の端部を埋没させている固定部材と、
を備える接点部材。
【請求項２】
前記ゴム状弾性体の前記一方の面は、縦横比を異ならせた形状を有する請求項１に記載の接点部材。
【請求項３】
前記ゴム状弾性体の前記一方の面は、多角形状を有する請求項１または２に記載の接点部材。
【請求項４】
前記金属線は、前記一方の面に互いに隙間をあけて平行になるように複数本備えられている請求項１から３のいずれか１項に記載の接点部材。
【請求項５】
前記金属線は、線径方向において１／２以上１／３以下の長さ分を前記ゴム状弾性体から露出させている請求項１から４のいずれか１項に記載の接点部材。
【請求項６】
前記金属線は、その表層に貴金属めっきが施されている請求項１から５のいずれか１項に記載の接点部材。
【請求項７】
前記ゴム状弾性体は、少なくとも、金属接着性のシリコーンゴムからなる第１のゴム状弾性体と、発泡シリコーンゴムからなり前記第１のゴム状弾性体に密着する第２のゴム状弾性体と、を有し、
前記金属線は、前記第１のゴム状弾性体に埋設されている請求項１から６のいずれか１項に記載の接点部材。
【請求項８】
接点として機能する側からみて方向性が規定されている第１のゴム状弾性体における当該方向性を規定している一方の面に、１または２以上の金属線を露出させて埋設配置して金属線付き第１のゴム状弾性体を形成する配置工程と、
一方を開口する金型内に、前記金属線の側を前記金型の底面および側面に向けて前記金属線付き第１のゴム状弾性体を敷く敷設工程と、
前記金属線付き第１のゴム状弾性体の前記第１のゴム状弾性体の側から、硬化して第２のゴム状弾性体となる未硬化組成物を前記金型内に供給するゴム状弾性体形成工程と、
前記未硬化組成物の硬化前若しくは硬化後に、前記未硬化組成物若しくは前記第２のゴム状弾性体に固定部材を接着すると共に、前記固定部材の内方に前記金属線の端部を埋没させる接着工程と、
前記接着工程の後に、前記第１のゴム状弾性体と前記第２のゴム状弾性体とを含むゴム状弾性体に前記金属線および前記固定部材を固定した接点部材を、前記金型から分離する離型工程と、
を含む接点部材の製造方法。
【発明の詳細な説明】
【技術分野】
【０００１】
本発明は、押釦スイッチ用の接点部材およびその製造方法に関する。
【背景技術】
【０００２】
従来から、押釦スイッチ用の接点部材として、洋白、ニッケル、ステンレス等に耐食性や導電性を高めるために貴金属めっきを施した金属箔（板）を、エラストマーと一体成型したものが広く用いられている。このような接点部材は、金属箔（板）の剛性が高いことから変形し難く、接点と基板の固定電極との間に異物が介在してしまった場合には、接点と固定電極との接触不良による導通不良やチャタリングの虞があった。このような導通不良やチャタリングの対策として、金網や金属スポンジを使用した接点部材（例えば、特許文献１を参照）や金属線を配線した接点部材（例えば、特許文献２を参照）等が提案されている。
【０００３】
図８は、基本的な構成の押釦スイッチの縦断面図を示す。図９は、従来から公知の接点部材の接点として機能する側からみた正面図および縦断面図を示す。図１０中、（ａ）は、金網を使用した接点部材の正面図を示す。（ｂ）は、（ａ）のＸ１−Ｘ１断面図を示す。（ｃ）は、金属線を配線した接点部材の正面図を示す。（ｄ）は、（ｃ）のＸ２−Ｘ２断面図を示す。
【０００４】
押釦スイッチ用の公知の接点部材を説明する前に、押釦スイッチの基本的な構成を説明する。図８に示す基本的な構成の押釦スイッチＳＷは、略円柱形状のキートップＫＴの下端に、キートップＫＴの径方向外側にドーム状に拡径するドーム部ＤＭを備える。押釦スイッチＳＷは、ドーム部ＤＭの下方開口部より径方向外側に延出するベース部ＢＳを備える。ベース部ＢＳは、押釦スイッチＳＷを配置する基板Ｓ上に固定される部分である。押釦スイッチＳＷは、ドーム部ＤＭの内方空間でキートップＫＴの直下に貼り付けられており、表面に導電性部材を有する接点部材ＣＮを備える。接点部材ＣＮは、キートップＫＴが押し込まれることで、ドーム部ＤＭが変形し、基板Ｓ上の電極ＥＬ１と電極ＥＬ２と接触するまで降下することができる。接点部材ＣＮは、導電性部材を固定電極ＥＬ１と固定電極ＥＬ２とに同時に接触することで、固定電極ＥＬ１と固定電極ＥＬ２とを電気的に接続させることができる。
【０００５】
次に、押釦スイッチ用の公知の接点部材を説明する。図９の（ａ）および（ｂ）に示す従来から公知の金網を使用した接点部材８０１は、図８に示すような押釦スイッチＳＷの接点部材ＣＮの部分に用いられる。金網を使用した接点部材８０１は、円板形状のゴム状弾性体８１０と、ゴム状弾性体８１０の一方の面に埋設されて接点として機能する平織り等の金網８２０と、を備えている。図９の（ｃ）および（ｄ）に示す従来から公知の金属線を配線した接点部材９０１は、図８に示すような押釦スイッチＳＷの接点部材ＣＮの部分に用いられる。金属線を配線した接点部材９０１は、円板形状のゴム状弾性体９１０と、ゴム状弾性体９１０の一方の面に埋設されて接点として機能する金属線９２０と、を備えている。金網を使用した接点部材８０１や金属線を配線した接点部材９０１は、金属箔（板）を接点とする接点部材と異なり、柔軟かつ表面が凹凸状になる。このため、接点と基板の固定電極との間に異物が介在してしまった場合に、異物が凹部に入り、導通不良やチャタリングのリスクを低減できる。
【先行技術文献】
【特許文献】
【０００６】
【特許文献１】特開２０１８−７３４６７号公報
【特許文献２】実開昭５７−１０９５３２号公報
【発明の概要】
【発明が解決しようとする課題】
【０００７】
金網を使用した接点部材８０１は、図９の（ｂ）に示すように、金網８２０を形成する緯線８２０Ｈと経線８２０Ｖが繰り返し凹凸状になっている。このため、ゴム状弾性体８１０から露出した凸状部の頂部でしか基板上の固定電極に接触できない。この結果、金網を使用した接点部材８０１は、固定電極との接触面積が小さく、安定した導通特性を得難いという問題がある。
【０００８】
一方、上述のような従来から公知の金属線を配線した接点部材９０１は、金属線９２０が長手方向に真っ直ぐでゴム状弾性体９１０から露出部を多くできる。このため、固定電極との接触面積を大きくできる。しかし、金属線９２０がゴム状弾性体９１０の表層に一本ずつ接着される構造となるため、ゴム状弾性体９１０と金属線９２０との接着性が弱い、という問題がある。また、接点部材９０１は、円板形状のゴム状弾性体９１０に方向性がなく、ゴム状弾性体９１０から金属線９２０の向きが把握できない。このため、使用する基板の固定電極形状に方向性がある場合に、接点部材９０１は、配置された金属線９２０の向きによっては一方の固定電極ＥＬ１と他方の固定電極ＥＬ２とを導通させることができない問題がある。この問題について、図面を参照してさらに説明する。
【０００９】
図１０は、基板上の固定電極形状の例を示す。図１０中、（ａ）〜（ｄ）は、方向性のない固定電極形状の例である。（ｅ）〜（ｆ）は、方向性のある固定電極形状の例である。（ａ）〜（ｆ）の各図においては、接点部材９０１を重ね合わせて示している。（ａ）〜（ｆ）の各図では、両矢印を挟み、金属線９２０の向きを９０度異ならせて接点部材９０１を示している。
【００１０】
（ａ）〜（ｄ）に示すような方向性のない固定電極形状において、金属線９２０は、その向きに関わらず固定電極ＥＬ１と固定電極ＥＬ２との間を橋渡すように、固定電極ＥＬ１および固定電極ＥＬ２に接触可能である。一方、（ｅ）〜（ｆ）に示すような方向性のある固定電極形状において、金属線９２０は、図１０において左側に示す金属線９２０の向きでは、固定電極ＥＬ１と固定電極ＥＬ２との間を橋渡すように接触可能である。しかし、図１０において右側に示す金属線９２０の向きでは、金属線９２０は、固定電極ＥＬ１と固定電極ＥＬ２との間を橋渡すように接触することができない。
【００１１】
本発明は、上記問題に鑑みてなされたものであり、耐異物性、電極との安定接触性および金属線の接着性に優れ、加えて電極形状に方向性がある場合でも確実に電極間の導通を実現できる接点部材を提供することを目的とする。
【課題を解決するための手段】
【００１２】
（１）上記目的を達成するための一実施形態に係る接点部材は、接点として機能する側からみて方向性が規定されているゴム状弾性体と、前記ゴム状弾性体の前記方向性を規定している一方の面において所定方向に向かって延びるように配置されると共に、前記一方の面から露出し前記一方の面からその側方の面に折れ曲がって前記ゴム状弾性体に埋設している１または２以上の金属線と、前記ゴム状弾性体の前記一方の面と反対側に位置する他方の面に固定され、前記金属線の端部を埋没させている固定部材と、を備える。
（２）別の実施形態に係る接点部材において、好ましくは、前記ゴム状弾性体の前記一方の面は、縦横比を異ならせた形状を有する。
（３）別の実施形態に係る接点部材において、好ましくは、前記ゴム状弾性体の前記一方の面は、多角形状を有する。
（４）別の実施形態に係る接点部材において、好ましくは、前記金属線は、前記一方の面に互いに隙間をあけて平行になるように複数本備えられている。
（５）別の実施形態に係る接点部材において、好ましくは、前記金属線は、線径方向において１／２以上１／３以下の長さ分を前記ゴム状弾性体から露出させている。
（６）別の実施形態に係る接点部材において、好ましくは、前記金属線は、その表層に貴金属めっきが施されている。
（７）別の実施形態に係る接点部材において、好ましくは、前記ゴム状弾性体は、少なくとも、金属接着性のシリコーンゴムからなる第１のゴム状弾性体と、発泡シリコーンゴムからなり前記第１のゴム状弾性体に密着する第２のゴム状弾性体と、を有し、前記金属線は、前記第１のゴム状弾性体に埋設されている。
（８）上記目的を達成するための一実施形態に係る接点部材の製造方法は、接点として機能する側からみて方向性が規定されている第１のゴム状弾性体における当該方向性を規定している一方の面に、１または２以上の金属線を露出させて埋設配置して金属線付き第１のゴム状弾性体を形成する配置工程と、一方を開口する金型内に、前記金属線の側を前記金型の底面および側面に向けて前記金属線付き第１のゴム状弾性体を敷く敷設工程と、前記金属線付き第１のゴム状弾性体の前記第１のゴム状弾性体の側から、硬化して第２のゴム状弾性体となる未硬化組成物を前記金型内に供給するゴム状弾性体形成工程と、前記未硬化組成物の硬化前若しくは硬化後に、前記未硬化組成物若しくは前記第２のゴム状弾性体に固定部材を接着すると共に、前記固定部材の内方に前記金属線の端部を埋没させる接着工程と、前記接着工程の後に、前記第１のゴム状弾性体と前記第２のゴム状弾性体とを含むゴム状弾性体に前記金属線および前記固定部材を固定した接点部材を、前記金型から分離する離型工程と、を含む。
【発明の効果】
【００１３】
本発明によれば、耐異物性、電極との安定接触性および金属線の接着性に優れ、加えて電極形状に方向性がある場合でも確実に電極間の導通を実現できる接点部材を提供できる。
【図面の簡単な説明】
【００１４】
【図１】図１は、本発明の実施形態に係る接点部材を三方向からみた各状態を示す。
【図２】図２は、図１の接点部材の縦断面図を示す。
【図３】図３は、図１の接点部材を構成する金属線の径方向の断面図を示す。
【図４】図４は、本発明の実施形態に係る接点部材の製造方法のフローチャートを示す。
【図５】図５は、図４のフローチャートの各工程の説明図を示す。
【図６】図６は、接点部材の変形例を示す。
【図７】図７は、本発明の変形例を、接点として機能する面から見た図を示す。
【図８】図８は、基本的な構成の押釦スイッチの縦断面図を示す。
【図９】図９は、従来から公知の接点部材の接点として機能する側からみた正面図および縦断面図を示す。
【図１０】図１０は、基板上の固定電極形状の例を示す。
【発明を実施するための形態】
【００１５】
次に、本発明の実施形態について、図面を参照して説明する。なお、以下に説明する実施形態は、特許請求の範囲に係る発明を限定するものではなく、また、実施形態の中で説明されている諸要素およびその組み合わせの全てが本発明の解決手段に必須であるとは限らない。また、各図面は、特徴がわかるようにした模式図であり、実際の寸法を厳密に反映したものではない。
【００１６】
本発明の実施形態に係る接点部材について説明する。
【００１７】
（１．実施形態に係る接点部材の構成）
図１は、本発明の実施形態に係る接点部材を三方向からみた各状態を示す。図１中、（ａ）は正面図を示す。（ｂ）は底面図を示す。（ｃ）は右側面図を示す。図２は、図１の接点部材の縦断面図を示す。図２中、（ａ）は、図１中の（ｂ）のＨ−Ｈ断面図を示す。（ｂ）は、図１中の（ｂ）のＶ−Ｖ断面図を示す。図３は、図１の接点部材を構成する金属線の径方向の断面図を示す。
【００１８】
実施形態に係る接点部材１は、図７に示すような押釦スイッチ（ＳＷ）の接点部材（ＣＮ）として用いられ、接点として機能する面を基板（Ｓ）上の固定電極（ＥＬ１，ＥＬ２）に対向させて配置される。接点部材１は、従来の接点部材と同様に、基板（Ｓ）の表面に対して垂直方向に往復移動することで基板（Ｓ）と接触／非接触となり、基板（Ｓ）上の固定電極（ＥＬ１，ＥＬ２）間の導通／非導通を切り換える役割を果たす。
【００１９】
接点部材１は、ゴム状弾性体１０と、ゴム状弾性体１０の接点として機能する側の一方の面に配置される１または２以上の金属線２０と、ゴム状弾性体１０の一方の面とは反対側の他方の面に固定される固定部材３０と、を備える。金属線２０は、好ましくは、２本以上を所定間幅おきに配置される。なお、図１および図２において、複数の金属線２０の内の一部のみに符号が付されている。これは、図３以降の図面でも同様である。
【００２０】
ゴム状弾性体１０は、柔軟性を有するエラストマーであり、この実施形態ではブロック形状を有する。ゴム状弾性体１０は、図１の（ｂ）に示すように、接点として機能する側（すなわち、底面側）からみて略長方形状をしている。換言すると、ゴム状弾性体１０の一方の面は、縦横比を異ならせた多角形状を有する。このように、ゴム状弾性体１０は、接点として機能する側からみて方向性が規定されている。ここで、「方向性が規定されている」とは、再現性をもって意図する向きで配置可能な形態を有していることを意味する。ゴム状弾性体１０は、縦横比の違いや、外形の辺や頂点の向きによって、意図する向きで配置可能である。ゴム状弾性体１０は、図１の（ｃ）に示すように、好ましくは、接点として機能する側（（ｃ）の左側）の表皮となる第１のゴム状弾性体１１と、内側のコアとなる第２のゴム状弾性体１２と、を有する。
【００２１】
第１のゴム状弾性体１１は、金属と接着する成分を有する。具体的には、第１のゴム状弾性体１１は、シート状の金属接着性のシリコーンゴムからなる。第１のゴム状弾性体１１は、図２の（ａ）および（ｂ）に示すように、好ましくは、第２のゴム状弾性体１２を内包するように、一方に開口する容器形状を有する。
【００２２】
第２のゴム状弾性体１２は、好ましくは、発泡シリコーンゴムからなり、第１のゴム状弾性体１１に密着する。第２のゴム状弾性体１２は、略直方体形状で、第１のゴム状弾性体１１の内側を埋めるように形成されている。ゴム状弾性体１０は、第１のゴム状弾性体１１と第２のゴム状弾性体１２とが一体となり、全体的には略直方体形状に構成されている。
【００２３】
金属線２０は、導電性に優れ、好ましくは円形状の径方向断面を有する細線である。ただし、金属線２０の当該断面の形状は、略長方形でもよい。金属線２０は、図３に示すように、芯線２１の表層に、下地めっき層２２、表面めっき層２３を順に備える。表面めっき層２３は、耐食性や導電性を高めるための貴金属めっき層である。芯線２１は、下地めっき層２２と異なる材料でなり、銅、洋白、真鍮、ベリリウム銅、ニッケル、鉄、ステンレススチール、またはそれらの１以上を含む合金から成る細線である。下地めっき層２２は、好ましくは、ニッケルめっき層である。表面めっき層２３は、好ましくは、金（Ａｕ）、白金（Ｐｔ）、銀（Ａｇ）、パラジウム（Ｐｄ）、ロジウム（Ｒｈ）、イリジウム（Ｉｒ）、ルテニウム（Ｒｕ）またはオスミウム（Ｏｓ）の一種若しくは複数から成り、より好ましくは金（Ａｕ）から成る。ただし、下地めっき層２２は、金属線２０にとって必須の構成要素ではない。金属線２０は、芯線２１に表面めっき層２３を備えるものでも良い。一例として、芯線２１をステンレススチール若しくはニッケルで構成する場合に、当該芯線２１の表面に金めっきを施した金属線２０を製造しても良い。
【００２４】
金属線２０は、図１および図２に示すように、ゴム状弾性体１０の方向性を規定している一方の面において所定方向に向かって延びるように配置されている。この実施形態では、「所定方向」は、ゴム状弾性体内の接点として機能する側の面（一方の面）であって長方形の面を形成する短辺に平行の方向を意味する。このため、金属線２０は、該長方形の短辺に平行に複数本配置されている。ただし、複数本の金属線２０は、該長方形の長辺と平行に備えられてもよい。金属線２０は、ゴム状弾性体１０一方の面から露出しその一方の面からその側方の面に折れ曲がってゴム状弾性体１０に埋設している。さらに詳しくは、金属線２０は、ゴム状弾性体１０の表皮となる第１のゴム状弾性体１１に沿った門形状をしており、全長方向全体に亘って径方向の一部が第１のゴム状弾性体１１に埋没している。金属線２０は、好ましくは、線径方向において１／２以上１／３以下の長さ分をゴム状弾性体１０から露出させている。金属線２０は、好ましくは、ゴム状弾性体１０の一方の面に互いに隙間をあけて平行になるように複数本備えられている。この実施形態では、金属線２０は、複数本備えられているが、１本であってもよい。なお、本願において、「所定方向に向かって延びるように配置される」とは、その配置される物の全体形状における長手方向が定められた方向を向いて配置されることを意味する。この実施形態の金属線２０は、一定の太さで一直線状に延びているが、必ずしも一定の太さで一直線状に延びていなくともよい。例えば、金属線は、ジグザグ形状や波形状で、延びる方向を変化させながらも全体的には一定方向に延びていてもよく、あるいは線幅を変動させながらも全体的には一定方向に延びていてもよい。
【００２５】
固定部材３０は、好ましくは、シリコーンゴム製のブロック状部材である。固定部材３０は、ゴム状弾性体１０の一方の面と反対側に位置する他方の面に固定されている。固定部材３０は、金属線２０の端部を埋没させて、保持している。このため、金属線２０の端部は、腐食しにくい。加えて、金属線２０は、接点部材１から剥離しにくい。
【００２６】
（２．実施形態に係る接点部材の製造方法）
図４は、本発明の実施形態に係る接点部材の製造方法のフローチャートを示す。図５は、図４のフローチャートの各工程の説明図を示す。図５中、（ａ）は、配置工程ＳＴ１を示す。（ｂ）は、敷設工程ＳＴ２を示す。（ｃ）は、ゴム状弾性体形成工程ＳＴ３を示す。（ｄ）は、接着剤塗布工程ＳＴ４を示す。（ｅ）は、接着工程ＳＴ５を示す。（ｆ）は、離型工程ＳＴ６を示す。
【００２７】
接点部材１は、図４に示すように、配置工程ＳＴ１、敷設工程ＳＴ２、ゴム状弾性体形成工程ＳＴ３、接着剤塗布工程ＳＴ４、接着工程ＳＴ５、および離型工程ＳＴ６を順に実施することにより製造される。なお、以下の説明においては、各構成要素の材質、形状、特性等については、上述した接点部材１の構成要素と同様であり、図５において上述と同じ符号を付して説明を省略する。
【００２８】
配置工程ＳＴ１では、接点として機能する側からみて方向性が規定されている第１のゴム状弾性体１１における方向性を規定している一方の面に、複数本の金属線２０を露出させて埋設配置して金属線付き第１のゴム状弾性体２５を形成する。配置工程ＳＴ１では、金属線２０を所定方向に向かって延びるように配置するとともに、線径方向において１／２以上１／３以下の長さ分を第１のゴム状弾性体１１から露出させるように埋設した上で接着する。配置工程ＳＴ１では、図５の（ａ）に示すように、金属線付き第１のゴム状弾性体２５は、複数個の金属線付き第１のゴム状弾性体２６を打ち抜くように大判のシートであってもよいし、１個の金属線付き第１のゴム状弾性体２６に対応させたシートでもよい。
【００２９】
敷設工程ＳＴ２では、図５の（ｂ）に示すように、一方を開口する金型Ｊ内に、金属線２０の側を金型Ｊの底面および側面に向けて金属線付き第１のゴム状弾性体２６を敷く。このとき、第１のゴム状弾性体１１および金属線２０は、金型Ｊの底面および対向する２側面に沿わせて、両縁部および両端部が金型Ｊの開口に向けて折り曲げられる（折り曲げラインＶＬは図５の（ａ）参照）。なお、金属線付き第１のゴム状弾性体２６の両端部または金属線２０の両端は、金型Ｊの開口より僅かに突出させることが好ましい。
【００３０】
ゴム状弾性体形成工程ＳＴ３では、図５の（ｃ）に示すように、金属線付き第１のゴム状弾性体２６の第１のゴム状弾性体１１の側から、硬化して第２のゴム状弾性体１２となる未硬化組成物を金型Ｊ内に供給する。ゴム状弾性体形成工程ＳＴ３では、未硬化組成物を硬化させて第２のゴム状弾性体１２を形成することにより、金属線付き第１のゴム状弾性体２６と第２のゴム状弾性体１２とを一体化させたゴム状弾性体１０を形成する。なお、ゴム状弾性体形成工程ＳＴ３では、前述のようにゴム状弾性体１０を形成してもよいが、あらかじめ第２のゴム状弾性体１２の形状に対応させた成形済みの硬化体を、接着剤を介して第１のゴム状弾性体１１の内側にしてゴム状弾性体１０を形成してもよい。
【００３１】
接着剤塗布工程ＳＴ４では、図５の（ｄ）に示すように、金型Ｊの開口から露出するゴム状弾性体１０の表面および金属線２０の端面に接着剤３１を塗布する。接着剤３１は、硬化後に固定部材３０の一部を構成する。なお、本願では、接着剤は、硬化前後を問わず、「接着剤３１」と称する。
【００３２】
接着工程ＳＴ５では、図５の（ｅ）に示すように、接着剤塗布工程ＳＴ４で塗布した接着剤３１の上に、固定部材３０の一部となる硬化体３２を接着する。このとき、固定部材３０としての接着剤３１の内方に金属線２０の端部を埋没させるようにする。
【００３３】
離型工程ＳＴ６では、図５の（ｆ）に示すように、第１のゴム状弾性体１１と第２のゴム状弾性体１２とを含むゴム状弾性体１０に金属線２０および固定部材３０を固定した接点部材１を、金型Ｊから分離する。
【００３４】
（３．実施形態による作用・効果）
接点部材１は、接点として機能する側からみて方向性が規定されているゴム状弾性体１０と、ゴム状弾性体１０の方向性を規定している一方の面において所定方向に向かって延びるように配置される金属線２０と、を備える。このため、接点部材１は、ゴム状弾性体１０の向きと金属線２０の延びる向きとの関係が明確で使用する基板の固定電極に対して適切な向きで配置可能である。このような接点部材１によれば、使用する基板の固定電極形状に方向性があっても確実に導通させることができる。「方向性が規定されているゴム状弾性体１０」は、接点として機能する側からみて、９０度自転させたときに元の状態と重ならない形状のゴム状弾性体１０と読み替えてもよい。また、「方向性が規定されているゴム状弾性体１０」は、真円、正方形、正８角形等の正４・ｎ角形（ｎは１以上の整数）を除外した形状の面を有するものと読み替えてもよい。
【００３５】
また、接点部材１は、金属線２０が一方の面から露出し当該一方の面からその側方の面に折れ曲がってゴム状弾性体１０に埋設しているとともに、ゴム状弾性体１０の一方の面と反対側に位置する他方の面に固定され、金属線２０の端部を埋没させている固定部材３０を備える。このため、金属線２０は、ゴム状弾性体１０の一方の面だけでなくゴム状弾性体１０の側面にも埋設させて接着されるとともに、端部が固定部材３０に埋没させて固定される。金属線２０が剥離方向以外の方向においても固定されるため、金属線２０が接点部材１から外れ難くなる。
【００３６】
その結果、実施形態に係る接点部材１は、金属線２０が長期間の使用に耐え、使用する基板の固定電極形状に方向性があっても確実に導通させることができ、安定した導通特性を得やすい。
【００３７】
また、接点部材１においては、ゴム状弾性体１０の一方の面は、縦横比を異ならせた形状（長方形）を有するため、この縦横比の違いにより方向性が明確になる。したがって、ゴム状弾性体１０を押釦スイッチに取り付ける際に、誤って電極同士を接続不可な向きに取り付けるリスクを低減できる。
【００３８】
また、接点部材１においては、ゴム状弾性体１０の一方の面は、多角形状を有するため、多角形状の辺や頂点の位置により方向性が明確になることから、上記リスクをさらに低減できる。
【００３９】
また、接点部材１においては、金属線２０は、一方の面に互いに隙間をあけて平行になるように複数本備えられているため、より多くの箇所およびより広い面積で電極同士を接続できる。したがって、より安定した導通特性を発揮することができる。
【００４０】
また、接点部材１においては、金属線２０は、線径方向において１／２以上１／３以下の長さ分をゴム状弾性体１０から露出させているため、露出させている部分が凹凸状になることで異物が入り込む余地のある凹部が形成される。したがって、接点部材１の耐異物性を高め、より安定した導通特性を発揮することができる。
【００４１】
また、接点部材１においては、金属線２０は、その表層に貴金属めっきが施されている。このため、接点部材１は、耐食性や導電性に優れ、より安定した導通特性を発揮することができる。
【００４２】
また、接点部材１においては、ゴム状弾性体１０は、少なくとも、金属接着性のシリコーンゴムからなる第１のゴム状弾性体１１と、発泡シリコーンゴムからなる第２のゴム状弾性体１２と、を有し、金属線２０は、第１のゴム状弾性体１１に埋設されている。このため、ゴム状弾性体１０は、第１のゴム状弾性体１１によって金属線２０を強固に保持できるとともに、その反対側に位置する第２のゴム状弾性体２０によって十分な柔軟性を発揮できる。
【００４３】
実施形態に係る接点部材１の製造方法においては、接点として機能する側からみて方向性が規定されている第１のゴム状弾性体１１に、金属線２０を露出させて埋設配置して金属線付き第１のゴム状弾性体２６を形成する配置工程ＳＴ１と、第１のゴム状弾性体１１と第２のゴム状弾性体１２とを一体化させてゴム状弾性体１０を形成するゴム状弾性体形成工程ＳＴ３と、を備える。これにより、接点として機能する側からみて方向性が規定されているゴム状弾性体１０に所定方向に向かって延びるように配置される金属線２０を配線できる。このように方向性が規定されているゴム状弾性体１０に金属線２０が配線された接点部材１は、ゴム状弾性体１０の向きと金属線２０の延びる向きとの関係が明確になり、基板上の電極同士を確実接続できる。このように、この実施形態の製造方法によれば、使用する基板の電極形状に方向性があっても、確実に導通させることが可能な接点部材を製造することができる。
【００４４】
この実施形態に係る接点部材１の製造方法においては、一方を開口する金型Ｊ内に、金属線２０の側を金型Ｊの底面および側面に向けて金属線付き第１のゴム状弾性体２６を敷く敷設工程ＳＴ２と、固定部材３０の内方に金属線２０の端部を埋没させるように固定部材３０を接着する接着工程ＳＴ５と、を備える。これにより、金属線２０を、一方の面から露出し当該一方の面からその側方の面に折れ曲がって第１のゴム状弾性体１１に埋設するとともに、端部を固定部材３０に埋没するように固定できる。このように金属線２０が固定された接点部材１は、金属線２０が剥離方向以外の方向においても保持されることから、金属線２０が剥がれ難い接点部材となる。
【００４５】
以上により、この実施形態に係る接点部材の製造方法によれば、耐異物性、電極との安定接触性、金属線の接着性に優れ、加えて電極形状に方向性がある場合でも確実に電極の導通を実現できる接点部材を提供できる。
【００４６】
（４．その他の実施形態）
以上、本発明の好適な実施形態に基づき説明したが、本発明は上記の実施形態に限定されるものではない。その趣旨を逸脱しない範囲において種々の態様において実施することが可能であり、例えば、次のような変形も可能である。
【００４７】
上記実施形態において記載した構成要素の数、形状、位置、大きさ、材質等は例示であり、本発明の効果を損なわない範囲において変更することが可能である。
【００４８】
上記実施形態において、ゴム状弾性体１０については第１のゴム状弾性体１１と第２のゴム状弾性体１２といった特性の異なる二部分を有するものとして説明したが、本発明はこれに限定されるものではない。例えば、ゴム状弾性体は、一の特性をもったブロック形状の弾性体であってもよい。また、ゴム状弾性体は、特性の異なる三以上の部材から構成されていてもよい。
【００４９】
上記実施形態において、ゴム状弾性体１０の形状は、接点として機能する側からみて略長方形であるが、接点として機能する側からみて方向性が規定されている形状であれば、略長方形に限定されるものではない。図６は、接点部材の変形例を示す。例えば、ゴム状弾性体の形状は、（ａ）に示すように、台形であってもよい。また、ゴム状弾性体の形状は、（ｂ）に示すように、菱形であってもよい。また、ゴム状弾性体の形状は、（ｃ）に示すように、六角形であってもよい。また、ゴム状弾性体の形状は、（ｄ）に示すように、五角形であってもよい。また、ゴム状弾性体の形状は、（ｅ）に示すように、楕円形のような縦横比の異なる非多角形であってもよい。
【００５０】
上記実施形態において、ゴム状弾性体１０および固定部材３０については、シリコーンゴムを採用しているが、ゴム状弾性体および固定部材の材質は、柔軟性を有するゴム材料であればシリコーンゴムに限定されるものではない。ウレタンゴム、イソプレンゴム、エチレンプロピレンゴム、天然ゴム、エチレンプロピレンジエンゴム、ニトリルゴム（ＮＢＲ）あるいはスチレンブタジエンゴム（ＳＢＲ）等の熱硬化性エラストマー；ウレタン系、エステル系、スチレン系、オレフィン系、ブタジエン系、フッ素系等の熱可塑性エラストマー、あるいはそれらの複合物等を用いても良い。
【００５１】
また、接点部材１は、透光性を有するものでもよい。具体的には、ゴム状弾性体や固定部材に透明または半透明のゴム部材を採用し、金属線２０の配線ピッチを調整することで、透過性を持たせることもできる。この結果、基板上に配置した照明光をキートップに導光することが可能な接点部材を構成することができる。
【００５２】
上記実施形態に係る接点部材の製造方法において、ゴム状弾性体形成工程ＳＴ３により未硬化組成物を硬化させた第２のゴム状弾性体１２に対し、接着剤塗布工程ＳＴ４により塗布した接着剤３１を用いて、接着工程ＳＴ５により固定部材３０を接着している。しかし、固定部材３０の接着方法は、これに限定されるものではない。例えば、ゴム状弾性体形成工程ＳＴ３において未硬化組成物を硬化させず、かつ接着剤塗布工程ＳＴ４を行わないで接着工程ＳＴ５に進み、接着工程ＳＴ５において未硬化組成物に固定部材３０を載せてもよい。この場合、未硬化組成物は、接着工程ＳＴ５において、硬化して第２のゴム状弾性体１２となるとともに、固定部材３０と第２のゴム状弾性体１２とを一体化させる接着剤として機能する。
【００５３】
図７は、本発明の変形例を、接点として機能する面から見た図を示す。
【００５４】
図７の（ａ）に示すように、略円の形状であって一部に当該円の内部方向に窪む凹部１５を備えたゴム状弾性体１０に複数の金属線２０をならべた接点部材１を製造しても良い。また、図７の（ｂ）に示すように、略円の形状であって一部に当該円の外部方向に突出する凸部１６を備えたゴム状弾性体１０に複数の金属線２０をならべた接点部材１を製造しても良い。上記の凹部１５または凸部１６を備えたゴム状弾性体１０は、「接点として機能する側からみて方向性が規定されているゴム状弾性体」の概念に含まれる。
【００５５】
なお、ゴム状弾性体１０を「接点として機能する側からみて方向性が規定されているゴム状弾性体」とすると共に、あるいはこれに代えて、固定部材３０の形状を、接点として機能する側からみて方向性が規定されている形状としても良い。
【産業上の利用可能性】
【００５６】
本発明に係る接点部材は、例えば、自動車の車載用機器の他、工業用ロボット、家庭用電化製品、ＰＣなどの各種機器に利用される押釦スイッチの接点に利用することができる。
【符号の説明】
【００５７】
１‥接点部材、１０‥ゴム状弾性体、１１‥第１のゴム状弾性体、１２‥第２のゴム状弾性体、２０‥金属線、２６‥金属線付き第１のゴム状弾性体、３０‥固定部材、３１‥接着剤（固定部材の一部）、３２‥硬化体（固定部材の一部）、ＳＴ１‥配置工程、ＳＴ２‥敷設工程、ＳＴ３‥ゴム状弾性体形成工程、ＳＴ５‥接着工程、ＳＴ６‥離型工程、Ｊ‥金型。
【図１】
2020140805.tif 000003
【図２】
2020140805.tif 000004
【図３】
2020140805.tif 000005
【図４】
2020140805.tif 000006
【図５】
2020140805.tif 000007
【図６】
2020140805.tif 000008
【図７】
2020140805.tif 000009
【図８】
2020140805.tif 000010
【図９】
2020140805.tif 000011
【図１０】
2020140805.tif 000012